(57)【特許請求の範囲】
【請求項１】
検査チップに加速度を作用させて検査を行う検査方法であって、
前記検査チップは、
反応に関与する液体である第一液と、反応に関与しない液体である第二液とが導入される領域である導入部と、
前記導入部の下流側に接続され、前記導入部から流出した前記第一液及び前記第二液を保持可能な領域である保持部と、を備え、
前記検査方法は、
前記検査チップに加速度を作用させることで、前記第一液を前記導入部から下流側に移動させる第一移動工程と、
前記第一移動工程の実行後、前記検査チップに加速度を作用させることで、前記保持部に前記第一液を保持させる第一保持工程と、
前記第一保持工程の実行後、前記検査チップに加速度を作用させることで、前記第一液を前記保持部から下流側に移動させ、且つ前記第二液を前記導入部から下流側に移動させる第二移動工程と、
前記第二移動工程の実行後、前記検査チップに加速度を作用させることで、前記保持部に前記第二液を保持させる第二保持工程と、を備え、
前記第一保持工程において前記検査チップに作用される加速度は、前記第二保持工程において前記検査チップに作用される加速度よりも大きい
ことを特徴とする検査方法。
【請求項２】
前記保持部は、固相化抗体が配置された反応部を含み、
前記第一液は、前記反応部において前記固相化抗体と反応する液体であり、
前記第二液は、前記反応部を洗浄する洗浄液であり、
前記第一保持工程は、前記第一液を前記反応部に保持させることで、前記第一液を前記固相化抗体と反応させ、
前記第二保持工程は、前記第二液を前記反応部に保持させることで、前記第二液で前記反応部を洗浄する
ことを特徴とする請求項１に記載の検査方法。
【請求項３】
前記第一液は、検査対象物質を含む試料液と、酵素標識抗体を含む標識抗体液と、酵素標識抗体と酵素反応する基質溶液とを含み、
前記第二液は、前記洗浄液として第一洗浄液及び第二洗浄液を含み、
前記第一移動工程は、前記試料液を前記導入部から下流側に移動させ、
前記第一保持工程は、前記試料液を前記反応部に保持させることで、前記検査対象物質を前記固相化抗体と結合させて第一結合体を生成し、
前記第二移動工程は、前記第一洗浄液を前記導入部から下流側に移動させ、
前記第二保持工程は、前記第一洗浄液を前記反応部に保持させることで、前記反応部に残存する前記第一結合体以外の成分を除去し、
更に、前記検査方法は、
前記第二保持工程の実行後、前記検査チップに加速度を作用させることで、前記第一洗浄液を前記反応部から下流側に移動させ、且つ前記標識抗体液を前記導入部から下流側に移動させる第三移動工程と、
前記第三移動工程の実行後、前記検査チップに加速度を作用させることで、前記反応部に前記標識抗体液を保持させて、前記酵素標識抗体を前記第一結合体と特異的に結合させて第二結合体を生成する第三保持工程と、
前記第三保持工程の実行後、前記検査チップに加速度を作用させることで、前記標識抗体液を前記反応部から下流側に移動させ、且つ前記第二洗浄液を前記導入部から下流側に移動させる第四移動工程と、
前記第四移動工程の実行後、前記検査チップに加速度を作用させることで、前記反応部に前記第二洗浄液を保持させて、前記反応部に残存する前記第二結合体以外の成分を除去する第四保持工程と、
前記第四保持工程の実行後、前記検査チップに加速度を作用させることで、前記第二洗浄液を前記反応部から下流側に移動させ、且つ前記基質溶液を前記導入部から下流側に移動させる第五移動工程と、
前記第五移動工程の実行後、前記検査チップに加速度を作用させることで、前記反応部に前記基質溶液を保持させて、前記基質溶液を前記第二結合体と反応させる第五保持工程と、を備え、
前記第一保持工程、前記第三保持工程、及び前記第五保持工程の各々において前記検査チップに作用される加速度は、前記第二保持工程及び前記第四保持工程の各々において前記検査チップに作用される加速度よりも大きい
ことを特徴とする請求項２に記載の検査方法。
【請求項４】
前記第一保持工程、前記第三保持工程、及び前記第五保持工程の各々において前記検査チップに作用される加速度は、前記第一移動工程、前記第三移動工程、及び前記第五移動工程の各々において前記検査チップに作用される加速度以下であることを特徴とする請求項３に記載の検査方法。
【請求項５】
前記第一保持工程において前記検査チップに作用される加速度は、前記第三保持工程及び前記第五保持工程の各々において前記検査チップに作用される加速度以上であることを特徴とする請求項３又は４に記載の検査方法。
【請求項６】
前記第二保持工程において前記検査チップに作用される加速度は、前記第四保持工程において前記検査チップに作用される加速度より大きいことを特徴とする請求項３から５の何れかに記載の検査方法。
【請求項７】
前記第四移動工程は、前記第二洗浄液を複数回に分けて前記導入部から下流側に移動させる複数の洗浄液移動工程を含み、
前記第四保持工程は、前記複数の洗浄液移動工程の各々が実行される毎に、前記導入部から下流側に移動された前記第二洗浄液を、前記標識抗体液が下流側に移動された後の前記反応部に保持させる複数の洗浄液保持工程を含み、
前記複数の洗浄液保持工程は、前記複数の洗浄液保持工程のうちで最初に実行される初回洗浄工程と、前記初回洗浄工程よりも後に実行される少なくとも一つの後続洗浄工程とを含み、
前記少なくとも一つの後続洗浄工程の各々において前記検査チップに作用される加速度は、前記初回洗浄工程において前記検査チップに作用される加速度以上である
ことを特徴とする請求項３から６の何れかに記載の検査方法。
【請求項８】
前記第一液及び前記第二液の各々は、前記保持部の壁面に対して９０度以下の接触角をなすことを特徴とする請求項１から７の何れかに記載の検査方法。
【請求項９】
前記検査チップに作用される加速度は、遠心力であることを特徴とする請求項１から８の何れかに記載の検査方法。
【請求項１０】
液体が内部で移動可能な検査チップと、前記検査チップに加速度を作用させる検査装置とを含む検査システムであって、
前記検査チップは、
反応に関与する液体である第一液と、反応に関与しない液体である第二液とが導入される領域である導入部と、
前記導入部の下流側に接続され、前記導入部から流出した前記第一液及び前記第二液を保持可能な領域である保持部と、を備え、
前記検査装置は、
前記検査チップに加速度を作用させることで、前記第一液を前記導入部から下流側に移動させる第一移動工程を実行する第一移動手段と、
前記第一移動工程の実行後、前記検査チップに加速度を作用させることで、前記保持部に前記第一液を保持させる第一保持工程を実行する第一保持手段と、
前記第一保持工程の実行後、前記検査チップに加速度を作用させることで、前記第一液を前記保持部から下流側に移動させ、且つ前記第二液を前記導入部から下流側に移動させる第二移動工程を実行する第二移動手段と、
前記第二移動工程の実行後、前記検査チップに加速度を作用させることで、前記保持部に前記第二液を保持させる第二保持工程を実行する第二保持手段と、を備え、
前記第一保持工程において前記検査チップに作用される加速度は、前記第二保持工程において前記検査チップに作用される加速度よりも大きい
ことを特徴とする検査システム。
【発明の詳細な説明】
【技術分野】
【０００１】
本発明は、液体が内部で移動可能な検査チップを用いた検査方法及び検査システムに関する。
【背景技術】
【０００２】
従来、液体が内部で移動可能な検査チップを用いた検査方法及び検査システムが知られている（例えば、特許文献１、２参照）。特許文献１では、分析チップに収容された液体が、遠心力によって第７槽まで移動される。第７槽では、液体が遠心力の付与されていない状態で反応した後、反応済みの液体の光学測定が行われる。特許文献２に開示の免疫分析方法では、免疫分析チップ内の液体が遠心力によって反応室まで移動される。免疫分析チップに対して異なる２以上の遠心力が付与されることによって、測定範囲の異なる２以上の被検物質の測定結果が得られる。
【先行技術文献】
【特許文献】
【０００３】
【特許文献１】特開２０１３−５０４３５号公報
【特許文献２】特開２００８−２４１６９８号公報
【発明の概要】
【発明が解決しようとする課題】
【０００４】
従来、検査チップ内の移動される液体として、反応に関与する液体と、反応に関与しない液体とが用いられる場合がある。反応に関与する液体は、試料液、標識抗体液、基質溶液等が例示される。反応に関与しない液体は、洗浄液等が例示される。検査チップを用いて液体反応を検査する場合、例えば検査チップのサイズ及び検査コストを抑制するため、反応に関与しない液体の使用量は少ない方が好ましい。しかしながら、反応に関与しない液体の使用量を抑制すると、液体反応に関する正確な検査結果を得ることができない可能性があった。
【０００５】
本発明の目的は、反応に関与しない液体の使用量を抑制しつつ、液体反応に関する正確な検査結果が得られる検査方法及び検査システムを提供することである。
【課題を解決するための手段】
【０００６】
本発明の第一態様は、検査チップに加速度を作用させて検査を行う検査方法であって、前記検査チップは、反応に関与する液体である第一液と、反応に関与しない液体である第二液とが導入される領域である導入部と、前記導入部の下流側に接続され、前記導入部から流出した前記第一液及び前記第二液を保持可能な領域である保持部と、を備え、前記検査方法は、前記検査チップに加速度を作用させることで、前記第一液を前記導入部から下流側に移動させる第一移動工程と、前記第一移動工程の実行後、前記検査チップに加速度を作用させることで、前記保持部に前記第一液を保持させる第一保持工程と、前記第一保持工程の実行後、前記検査チップに加速度を作用させることで、前記第一液を前記保持部から下流側に移動させ、且つ前記第二液を前記導入部から下流側に移動させる第二移動工程と、前記第二移動工程の実行後、前記検査チップに加速度を作用させることで、前記保持部に前記第二液を保持させる第二保持工程と、を備え、前記第一保持工程において前記検査チップに作用される加速度は、前記第二保持工程において前記検査チップに作用される加速度よりも大きいことを特徴とする。
【０００７】
これによれば、検査方法の各工程において検査チップに加速度を作用されることで、以下のように液体が操作される。まず第一移動工程では、反応に関与する液体である第一液が導入部から下流側に移動される。次に第一保持工程では、第一液が保持部に保持される。次に第二移動工程では、第一液が保持部から下流側に移動され、且つ、反応に関与しない液体である第二液が導入部から下流側に移動される。次に第二保持工程では、第二液が保持部に保持される。第一保持工程の加速度は、第二保持工程の加速度よりも大きい。第一保持工程の加速度は第二保持工程の加速度よりも大きいので、第一保持工程において保持される第一液と保持部との間の表面張力と、第二保持工程において保持される第二液と保持部との間の表面張力では、第一液と保持部との間の表面張力の方が加速度によって相殺される方向の力が働きやすい。即ち、第一液と第二液との各液量が同等の場合、第二保持工程における第二液と保持部との接触面積は、第一保持工程における第一液と保持部との接触面積よりも大きい。第二液の液量が第一液の液量よりも少ない場合でも、第二液は保持部のうちで第一液と接触した領域の全体と接触可能である。従って、反応に関与しない液体の使用量を抑制しつつ、液体反応に関する正確な検査結果が得られる。
【０００８】
前記保持部は、固相化抗体が配置された反応部を含み、前記第一液は、前記反応部において前記固相化抗体と反応する液体であり、前記第二液は、前記反応部を洗浄する洗浄液であり、前記第一保持工程は、前記第一液を前記反応部に保持させることで、前記第一液を前記固相化抗体と反応させ、前記第二保持工程は、前記第二液を前記反応部に保持させることで、前記第二液で前記反応部を洗浄してもよい。この場合、第一保持工程では、第一液が反応部に配置された固相化抗体と反応される。第二保持工程では、第二液によって反応部が洗浄される。これにより、反応に関与しない洗浄液の使用量を抑制しつつ、第二保持工程以降の工程において、反応部で液体を正確に反応させることができる。
【０００９】
前記第一液は、検査対象物質を含む試料液と、酵素標識抗体を含む標識抗体液と、酵素標識抗体と酵素反応する基質溶液とを含み、前記第二液は、前記洗浄液として第一洗浄液及び第二洗浄液を含み、前記第一移動工程は、前記試料液を前記導入部から下流側に移動させ、前記第一保持工程は、前記試料液を前記反応部に保持させることで、前記検査対象物質を前記固相化抗体と結合させて第一結合体を生成し、前記第二移動工程は、前記第一洗浄液を前記導入部から下流側に移動させ、前記第二保持工程は、前記第一洗浄液を前記反応部に保持させることで、前記反応部に残存する前記第一結合体以外の成分を除去し、更に、前記検査方法は、前記第二保持工程の実行後、前記検査チップに加速度を作用させることで、前記第一洗浄液を前記反応部から下流側に移動させ、且つ前記標識抗体液を前記導入部から下流側に移動させる第三移動工程と、前記第三移動工程の実行後、前記検査チップに加速度を作用させることで、前記反応部に前記標識抗体液を保持させて、前記酵素標識抗体を前記第一結合体と特異的に結合させて第二結合体を生成する第三保持工程と、前記第三保持工程の実行後、前記検査チップに加速度を作用させることで、前記標識抗体液を前記反応部から下流側に移動させ、且つ前記第二洗浄液を前記導入部から下流側に移動させる第四移動工程と、前記第四移動工程の実行後、前記検査チップに加速度を作用させることで、前記反応部に前記第二洗浄液を保持させて、前記反応部に残存する前記第二結合体以外の成分を除去する第四保持工程と、前記第四保持工程の実行後、前記検査チップに加速度を作用させることで、前記第二洗浄液を前記反応部から下流側に移動させ、且つ前記基質溶液を前記導入部から下流側に移動させる第五移動工程と、前記第五移動工程の実行後、前記検査チップに加速度を作用させることで、前記反応部に前記基質溶液を保持させて、前記基質溶液を前記第二結合体と反応させる第五保持工程と、を備え、前記第一保持工程、前記第三保持工程、及び前記第五保持工程の各々において前記検査チップに作用される加速度は、前記第二保持工程及び前記第四保持工程の各々において前記検査チップに作用される加速度よりも大きくてもよい。
【００１０】
この場合、第一保持工程では、試料液が反応部に保持されて、検査対象物質と固相化抗体とが結合された第一結合体が生成される。第二保持工程では、第一洗浄液が反応部に保持されて、反応部に残存する第一結合体以外の成分が除去される。次に第三移動工程では、第一洗浄液が反応部から下流側に移動され、且つ標識抗体液が導入部から下流側に移動される。次に第三保持工程では、反応部に標識抗体液が保持されて、酵素標識抗体と第一結合体とが特異的に結合された第二結合体が生成される。次に第四移動工程では、標識抗体液が反応部から下流側に移動され、且つ第二洗浄液が導入部から下流側に移動される。次に第四保持工程では、反応部に第二洗浄液が保持されて、反応部に残存する第二結合体以外の成分が除去される。次に第五移動工程では、第二洗浄液が反応部から下流側に移動され、且つ基質溶液が導入部から下流側に移動される。次に第五保持工程では、反応部に基質溶液が保持されて、基質溶液が第二結合体と反応される。第一、第三、及び第五保持工程の各加速度は、第二及び第四保持工程の各加速度よりも大きい。
【００１１】
即ち、反応部において第一液を反応させる各工程の加速度は、反応部を第二液で洗浄する各工程の加速度よりも大きい。これにより、第一、第三、及び第五保持工程の各々における第一液と反応部との間の表面張力と、第二及び第四保持工程の各々における第二液と反応部との間の表面張力では、第一液と反応部との間の表面張力の方が加速度によって相殺される方向の力が働きやすい。即ち、第一液と第二液との各液量が同等の場合、第一、第三、及び第五保持工程の各々における第一液と反応部との接触面積は、第二及び第四保持工程の各々における第二液と反応部との接触面積よりも大きい。第一洗浄液が試料液よりも少ない場合でも、第一洗浄液は反応部のうちで試料液と接触した領域の全体と接触可能であるため、反応部に残存する第一結合体以外の成分を確実に除去できる。第二洗浄液が標識抗体液よりも少ない場合でも、第二洗浄液は反応部のうちで標識抗体液と接触した領域の全体と接触可能であるため、反応部に残存する第二結合体以外の成分を確実に除去できる。従って、第五保持工程において基質溶液が第二結合体と反応された場合に、より正確な反応結果が得られる。
【００１２】
前記第一保持工程、前記第三保持工程、及び前記第五保持工程の各々において前記検査チップに作用される加速度は、前記第一移動工程、前記第三移動工程、及び前記第五移動工程の各々において前記検査チップに作用される加速度以下でもよい。この場合、反応部において第一液を反応させる各工程の加速度は、検査チップ内で液体を移動させる各工程の加速度以下である。これにより、検査方法の実行に伴うエネルギー消費を抑制でき、且つ、検査チップ内で液体を正確に移動させることができる。
【００１３】
前記第一保持工程において前記検査チップに作用される加速度は、前記第三保持工程及び前記第五保持工程の各々において前記検査チップに作用される加速度以上でもよい。第一保持工程は第一、第三、及び第五保持工程のうちで最初に実行されるため、第一結合体の生成量は最終的な検査結果に与える影響が大きい。従って、第一保持工程の加速度を第三及び第五保持工程の各加速度以上にすることで、反応部における試料液の液面位置が正確に制御できる。これにより、試料液と反応部との接触面積が正確に制御されて、第一結合体の生成量が正確に制御されるため、液体反応に関する正確な検査結果が得られる。
【００１４】
前記第二保持工程において前記検査チップに作用される加速度は、前記第四保持工程において前記検査チップに作用される加速度より大きくてもよい。この場合、第二保持工程の加速度は第四保持工程の加速度よりも大きいので、第二保持工程において保持される第一洗浄液と反応部との間の表面張力と、第四保持工程において保持される第二洗浄液と反応部との間の表面張力では、第一洗浄液と反応部との間の表面張力の方が加速度によって相殺される方向の力が働きやすい。即ち、第一洗浄液と第二洗浄液との各液量が同等の場合、第二保持工程における第一洗浄液と反応部との接触面積は、第四保持工程における第二洗浄液と反応部との接触面積よりも大きい。第二洗浄液の液量が第一洗浄液の液量よりも少ない場合でも、第二洗浄液は反応部のうちで第一洗浄液と接触した領域の全体と接触可能である。従って、反応に関与しない第二洗浄液の使用量を抑制しつつ、反応部の広範囲を洗浄できるため、液体反応に関する正確な検査結果が得られる。
【００１５】
前記第四移動工程は、前記第二洗浄液を複数回に分けて前記導入部から下流側に移動させる複数の洗浄液移動工程を含み、前記第四保持工程は、前記複数の洗浄液移動工程の各々が実行される毎に、前記導入部から下流側に移動された前記第二洗浄液を、前記標識抗体液が下流側に移動された後の前記反応部に保持させる複数の洗浄液保持工程を含み、前記複数の洗浄液保持工程は、前記複数の洗浄液保持工程のうちで最初に実行される初回洗浄工程と、前記初回洗浄工程よりも後に実行される少なくとも一つの後続洗浄工程とを含み、前記少なくとも一つの後続洗浄工程の各々において前記検査チップに作用される加速度は、前記初回洗浄工程において前記検査チップに作用される加速度以上でもよい。
【００１６】
この場合、第四移動工程では、第二洗浄液が複数回に分けて導入部から下流側に移動される。第四保持工程は、第二洗浄液が導入部から下流側に移動される毎に実行される複数の洗浄液保持工程を含む。複数の洗浄液保持工程の各々では、導入部から下流側に移動された第二洗浄液が、標識抗体液が下流側に移動された後の反応部に保持される。複数の洗浄液保持工程は、最初に実行される初回洗浄工程と、その後に実行される後続洗浄工程とを含む。後続洗浄工程の加速度は、初回洗浄工程の加速度以上である。従って、複数の洗浄液保持工程によって、反応部に残存する第二結合体以外の成分除去が、複数回に分けて実行される。複数の洗浄液保持工程のうちで初回洗浄工程の加速度が最も大きいため、初回洗浄工程において第二洗浄液は反応部の広範囲を洗浄できる。
【００１７】
前記第一液及び前記第二液の各々は、前記保持部の壁面に対して９０度以下の接触角でもよい。この場合、第二液の液量が第一液の液量よりも少ない場合でも、第二液は保持部のうちで第一液と接触した領域の全体と接触可能である。従って、反応に関与しない第二液の使用量を抑制しつつ、液体反応に関する正確な検査結果が得られる。
【００１８】
前記検査チップに作用される加速度は、遠心力でもよい。この場合、検査チップに遠心力を付与し、且つ遠心力の作用する方向を調整することで、上述の検査方法を実現できる。
【００１９】
本発明の第二態様は、液体が内部で移動可能な検査チップと、前記検査チップに加速度を作用させる検査装置とを含む検査システムであって、前記検査チップは、反応に関与する液体である第一液と、反応に関与しない液体である第二液とが導入される領域である導入部と、前記導入部の下流側に接続され、前記導入部から流出した前記第一液及び前記第二液を保持可能な領域である保持部と、を備え、前記検査装置は、前記検査チップに加速度を作用させることで、前記第一液を前記導入部から下流側に移動させる第一移動工程を実行する第一移動手段と、前記第一移動工程の実行後、前記検査チップに加速度を作用させることで、前記保持部に前記第一液を保持させる第一保持工程を実行する第一保持手段と、前記第一保持工程の実行後、前記検査チップに加速度を作用させることで、前記第一液を前記保持部から下流側に移動させ、且つ前記第二液を前記導入部から下流側に移動させる第二移動工程を実行する第二移動手段と、前記第二移動工程の実行後、前記検査チップに加速度を作用させることで、前記保持部に前記第二液を保持させる第二保持工程を実行する第二保持手段と、を備え、前記第一保持工程において前記検査チップに作用される加速度は、前記第二保持工程において前記検査チップに作用される加速度よりも大きいことを特徴とする。これによれば、第一態様と同様の作用を奏する。
【図面の簡単な説明】
【００２０】
【図１】検査装置１及び制御装置９０を含む検査システム３の構成を示す図である。
【図２】検査チップ２の正面図である。
【図３】廃液部７００近傍の拡大正面図である。
【図４】遠心処理のフローチャートである。
【図５】遠心処理における検査チップ２の状態遷移図である。
【図６】図５から続く状態遷移図である。
【図７】図６から続く状態遷移図である。
【図８】反応部３８０を拡大した断面図である。
【発明を実施するための形態】
【００２１】
本発明を具体化した実施形態について、図面を参照して説明する。図１は、検査システム３を構成する検査装置１の平面及び制御装置９０の内部の機能ブロックを示す。
【００２２】
＜１．検査システム３の概略構造＞
図１を参照して、検査システム３の概略構造を説明する。本実施形態の検査システム３は、液体である検体及び試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２からみた検査チップ２に作用する遠心力の方向が切り替えられる。尚、本実施形態の検査システム３及び検査装置１は、特開２０１２−７８１０７号公報に記載されているように周知の構造であるので、以下の説明では、検査装置１の概略構造を説明する。
【００２３】
＜２．検査装置１の構造＞
図１を参照して、検査装置１の構造を説明する。以下の説明では、図１の上方、下方、右方、左方、紙面手前側、及び紙面奥側を、夫々、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。図１は検査装置１の上部筐体３０の天板が取り除かれた状態を示す。
【００２４】
図１に示すように、検査装置１は、上部筐体３０、下部筐体３１、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００２５】
下部筐体３１の概略構造を説明する。下部筐体３１は、枠部材を組み合わせた箱状のフレーム構造を有する。下部筐体３１の上面には、長方形の板材である上板３２が設けられている。下部筐体３１の内部には、垂直軸線Ａ１を中心にターンテーブル３３を回転させる駆動機構が、次のように設けられている。
【００２６】
下部筐体３１内の左方寄りに、ターンテーブル３３を回転させるための駆動力を供給する主軸モータ３５が設置されている。主軸モータ３５の軸３６は、上方に突出しており、プーリ３７が固定されている。下部筐体３１の中央部には、下部筐体３１の内部から上方に延びる垂直な主軸５７が設けられている。主軸５７は、上板３２を貫通して、下部筐体３１の上側に突出している。主軸５７の上端部は、ターンテーブル３３の中央部に接続されている。
【００２７】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００２８】
下部筐体３１内の右方寄りに、下部筐体３１の内部において上下方向に延びる図示しないガイドレールが設けられている。図示しないＴ型プレートは、ガイドレールに沿って下部筐体３１内において上下方向に移動可能である。
【００２９】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００３０】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００３１】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００３２】
各Ｌ型プレート６０の延設方向の先端側では、ギア４５を有する水平な支軸４６が回転自在に軸支されている。支軸４６は図示外の装着用ホルダを介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３に夫々噛合している。ラックギア４３の上下動に連動して、ピニオンギア４４、及びギア４５が夫々従動回転し、ひいては検査チップ２が支軸４６を中心に回転する。
【００３３】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００３４】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、検査チップ２が自転可能な角度幅は、自転角度０度〜１８０度である。本実施形態では、後述の遠心処理（図４参照）において、自転角度が０度〜９０度の角度幅で制御される。
【００３５】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００３６】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。
【００３７】
＜３．制御装置９０の電気的構成＞
図１を参照して、制御装置９０の電気的構成を説明する。制御装置９０は、検査装置１の主制御を司るＣＰＵ１０１と、各種データを一時的に記憶するＲＡＭ１０２と、制御プログラムを記憶したＲＯＭ１０３とを有する。ＣＰＵ１０１には、ユーザが制御装置９０に対する指示を入力するための操作部１０４と、各種データ、及びプログラムを記憶するハードディスク装置１０５と、各種情報を表示するディスプレイ１０６とが接続されている。制御装置９０としては、パーソナルコンピュータを用いてもよいし、専用の制御装置を用いてもよい。
【００３８】
更にＣＰＵ１０１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、ステッピングモータ５１を回転駆動させる制御信号をステッピングモータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。尚、ＣＰＵ１０１が公転コントローラ９７、自転コントローラ９８及び測定コントローラ９９を制御する。
【００３９】
＜４．検査チップ２の全体構造＞
図２を参照して、本実施形態に係る検査チップ２の全体構造を説明する。以下の説明では、図２の上方、下方、左方、右方、紙面手前側、及び紙面奥側を、それぞれ、検査チップ２の上方、下方、左方、右方、前方、及び後方とする。本実施形態では、検査チップ２が使用され、ＥＬＩＳＡ法によって検査が行われる。
【００４０】
図２に示すように、検査チップ２は一例として前方から見た場合に上辺部８１、下辺部８４、右辺部８２、及び左辺部８３を有する正方形状であり、所定の厚みを有する透明な合成樹脂の板材１９を主体とする。板材１９の前面２０３は、透明の合成樹脂の薄板から構成されたシート２９１によって封止されている。板材１９とシート２９１との間には、検査チップ２に封入された液体が流動可能な液体流路２５が形成されている。液体流路２５は、前面２０３に所定深さに形成された凹部であり、板材１９の厚み方向である前後方向と直交する方向に延びる。シート２９１は、板材１９の流路形成面を封止する。シート２９１は、図２以外では図示を省略している。
【００４１】
液体流路２５は、試料液導入部３１０、第一洗浄液導入部３２０、標識抗体液導入部３３０、第二洗浄液導入部３４０、基質溶液導入部３５０、停止液導入部３６０、共通受部３７０、反応部３８０、測定部３９０、廃液部７００、第一受部４５０、第二受部４６０、第三受部４７０、第四受部５５０、注入路４８０，４９０．５００，５１０，５２０，５３０等を含む。試料液導入部３１０、第一洗浄液導入部３２０、標識抗体液導入部３３０、第二洗浄液導入部３４０、基質溶液導入部３５０、停止液導入部３６０、反応部３８０、及び測定部３９０は、夫々下方向に凹み、上方に開口している。
【００４２】
反応部３８０を形成する壁面には、固相化された抗体である固相化抗体が配置されている。試料液導入部３１０、第一洗浄液導入部３２０、標識抗体液導入部３３０、第二洗浄液導入部３４０、基質溶液導入部３５０、及び停止液導入部３６０は、夫々、試料液９１、第一洗浄液９２、標識抗体液９３、第二洗浄液９４、基質溶液９５、停止液９６が保持される部位である。
【００４３】
試料液９１は、例えば、血液、血漿、血球、骨髄、尿、膣組織、上皮組織、腫瘍、精液、唾液、動物の組織、動物の血液、又は食料品などの検査対象物質の成分を含む液体である。試料液９１に含まれる検査対象物質は、固相化抗体と結合される。第一洗浄液９２は、固相化抗体と結合していない試料液９１の成分を除去するための液体である。標識抗体液９３は、酵素標識抗体を含む液体である。酵素標識抗体は、酵素で標識された抗体である。標識抗体液９３に含まれる酵素標識抗体は、検査対象物質及び固相化抗体の結合体と特異的に結合される。
【００４４】
第二洗浄液９４は、検査対象物質及び固相化抗体の結合体と結合していない標識抗体液９３の成分を除去するための液体である。基質溶液９５は、第二洗浄液９４によって洗浄された後の固相化抗体に接触されて、酵素標識抗体と酵素反応される液体である。停止液９６は、基質溶液９５と混合されて、酵素反応の進行を停止させるための液体である。本実施形態では、後述する光学測定において、基質溶液９５が酵素反応することによって生じる蛍光物質又は呈色物質が検出されて、検査対象物質が測定される。
【００４５】
本実施形態では、試料液９１、第一洗浄液９２、標識抗体液９３、第二洗浄液９４、基質溶液９５、及び停止液９６の各々と、液体流路２５を形成する壁面とが静的に接触した場合になす角度である接触角は、何れも９０度以下である。以下では、理解を容易にするために、試料液９１、第一洗浄液９２、標識抗体液９３、第二洗浄液９４、基質溶液９５、及び停止液９６の各接触角は、互いに同じであるものとする。
【００４６】
試料液導入部３１０は、検査チップ２の右上部に設けられている。注入路４８０は、試料液導入部３１０の左上部から上方に延び、上辺部８１を貫通する。注入路４８０は、試料液導入部３１０に試料液９１が注入される部位である。第一洗浄液導入部３２０は、試料液導入部３１０より下方向に位置する。注入路４９０は、第一洗浄液導入部３２０の左上部から上方に延び、上辺部８１を貫通する。注入路４９０は、第一洗浄液導入部３２０に第一洗浄液９２を注入する部位である。第一洗浄液導入部３２０の右下方には、共通受部３７０が設けられている。共通受部３７０は、上方に開口する凹部である。試料液導入部３１０の右上部と第一洗浄液導入部３２０の右上部とは、下方に延びる流路６１０を介して共通受部３７０に接続されている。
【００４７】
停止液導入部３６０は、検査チップ２の左上部に設けられている。注入路５３０は、停止液導入部３６０の左上部から上方に延び、上辺部８１を貫通する。注入路５３０は、停止液導入部３６０に停止液９６を注入する部位である。基質溶液導入部３５０は、停止液導入部３６０より下方に位置する。注入路５２０は、基質溶液導入部３５０の左上部から上方に延び、上辺部８１を貫通する。注入路５２０は、基質溶液導入部３５０に基質溶液９５を注入する部位である。
【００４８】
第二洗浄液導入部３４０は、基質溶液導入部３５０より下方に位置する。注入路５１０は、第二洗浄液導入部３４０の左上部から上方に延び、上辺部８１を貫通する。注入路５１０は、第二洗浄液導入部３４０に第二洗浄液９４を注入する部位である。標識抗体液導入部３３０は、基質溶液導入部３５０より下方に位置する。注入路５００は、標識抗体液導入部３３０の左上部から上方に延び、上辺部８１を貫通する。注入路５００は、標識抗体液導入部３３０に標識抗体液９３を注入する部位である。
【００４９】
試料液導入部３１０を形成する壁面のうちの下流の壁面を、第一壁面５０１という。第一洗浄液導入部３２０を形成する壁面のうちの下流の壁面を、第二壁面５０２という。標識抗体液導入部３３０を形成する壁面のうちの下流の壁面を、第三壁面５０３という。停止液導入部３６０を形成する壁面のうちの下流の壁面を、第四壁面５０４という。基質溶液導入部３５０を形成する壁面のうちの下流の壁面を、第五壁面５０５という。第二洗浄液導入部３４０を形成する壁面のうちの下流の壁面を、第六壁面５０６という。
【００５０】
第一〜第六壁面５０１〜５０６の傾斜角を、夫々、Ｒ１、Ｒ２、Ｒ３、Ｒ４、Ｒ５、及びＲ６とする。図２においては、一例として、傾斜角Ｒ１〜Ｒ６を、第一〜第六壁面５０１〜５０６の夫々と下方向とのなす角で示す。傾斜角Ｒ１〜Ｒ６は、以下の式（１）の関係を有する。
Ｒ３，Ｒ４，Ｒ５，Ｒ６＞Ｒ２＞Ｒ１    ・・・（１）
なおＲ３〜Ｒ６は、本実施形態では互いに同じ角度であるが、互いに異なる角度でもよい。
【００５１】
第一受部４５０は、停止液導入部３６０の右上部分から下方向に延びる流路である。第一受部４５０は、右方に凹んでいる。第一受部４５０の左下部は、基質溶液導入部３５０に接続されている。第二受部４６０は、基質溶液導入部３５０の右上部分から下方向に延びる流路である。第二受部４６０は、右方に凹んでいる。第二受部４６０の左下部は、第二洗浄液導入部３４０に接続されている。第三受部４７０は、第二洗浄液導入部３４０の右上部分から下方向に延びる流路である。第三受部４７０は、右方に凹んでいる。第三受部４７０の左下部は、標識抗体液導入部３３０に接続されている。
【００５２】
標識抗体液導入部３３０の右部は、第三受部４７０の右側を通って右斜め上方に延びる。標識抗体液導入部３３０の右上端は、第一洗浄液導入部３２０の下側において右方に延び、流路６２０の左端部に接続する。流路６２０は、右方に延びて、共通受部３７０に接続する。共通受部３７０の左下部は、反応部３８０に接続されている。第四受部５５０は、反応部３８０の右上部分から下方向に延びる流路である。第四受部５５０は、右方に凹んでいる。
【００５３】
第四受部５５０の左下部は、測定部３９０に接続されている。測定部３９０は、試料液９１を含む液体が測定される部位である。測定部３９０の右上部は、廃液部７００に接続されている。測定部３９０から廃液部７００に流出する液体を、廃液８５（図５の状態Ｆ５等参照）という。測定部３９０は、その右上端部である流出端部３９１から、廃液８５を廃液部７００に流出させる。
【００５４】
＜５．廃液部７００の詳細構造＞
図３を参照して、廃液部７００の詳細構造を説明する。廃液部７００は、第一廃液部７１０、狭小流路７２０、及び第二廃液部７３０を備える。第一廃液部７１０は、測定部３９０の右上部から下方向に延びる。狭小流路７２０は、測定部３９０の下側を通って、第一廃液部７１０の下端部から左方向に延びる。第二廃液部７３０は、狭小流路７２０の左端部から上側に凹む凹部である。第二廃液部７３０の下端部７３１は、狭小流路７２０の左端部と接続する。第二廃液部７３０の上端部７３２は、測定部３９０と反応部３８０との間にある。第二廃液部７３０の右端部７３３は、測定部３９０と狭小流路７２０との間にある。
【００５５】
第二廃液部７３０と標識抗体液導入部３３０とを隔てる壁部を、隔壁７４１という。第二廃液部７３０と反応部３８０とを隔てる壁部を、隔壁７４２という。第二廃液部７３０と測定部３９０とを隔てる壁部を、隔壁７４３という。第二廃液部７３０と第一廃液部７１０及び狭小流路７２０とを隔てる壁部を、隔壁７４４という。第二廃液部７３０は、隔壁７４１を挟んで標識抗体液導入部３３０の右側に配置される。第二廃液部７３０は、隔壁７４２を挟んで反応部３８０の下側に配置される。第二廃液部７３０は、隔壁７４３を挟んで測定部３９０の下側に配置される。第二廃液部７３０は、隔壁７４４を挟んで、第一廃液部７１０の左側且つ狭小流路７２０の上側に配置される。
【００５６】
第一廃液部７１０と狭小流路７２０との接続部を、接続部７５１という。接続部７５１は、第一廃液部７１０の左下端部の後面から狭小流路７２０に右端部の後面に向けて、左斜め前方に傾斜し且つ上下方向の幅が漸減するテーパ状の壁面である。狭小流路７２０と第二廃液部７３０との接続部を、接続部７５２という。接続部７５２は、下端部７３１の後面から狭小流路７２０の左端部の後面に向けて前方に突出する段差部である。狭小流路７２０は、接続部７５１，７５２の間で左右方向に延びる壁面７２１に囲まれて形成された流路である。
【００５７】
先述の測定部３９０は、下方向に凹む壁部３９２によって囲まれた領域である。壁部３９２は、隔壁７４３と隔壁７４５の一部とを含む。隔壁７４５は、測定部３９０と第一廃液部７１０とを隔てる壁部である。隔壁７４５において測定部３９０を囲む面は、測定部３９０に保持された液体を下流側に案内する案内面３９３である。隔壁７４３において測定部３９０を囲む面は、案内面３９３と対向する対向面３９４である。
【００５８】
測定部３９０から下流側に流出した液体は、廃液部７００の右面をなす壁面７０１に沿って、第一廃液部７１０内を下方向に移動可能である。更に液体は、廃液部７００の下面をなす壁面７０２に沿って、第一廃液部７１０から第二廃液部７３０まで移動可能である。即ち液体は、狭小流路７２０を経由して、第一廃液部７１０から第二廃液部７３０まで移動可能である。第二廃液部７３０に流入した液体は、第二廃液部７３０内で下端部７３１から上側に移動可能である。更に液体は、隔壁７４４の上面である壁面７０３に沿って、下端部７３１から右端部７３３に向けて右上方に移動可能である。
【００５９】
狭小流路７２０の上下方向の幅は、その内部で移動する液体を狭小流路７２０における上面及び下面の両方に接触させるように小さい。狭小流路７２０の前後方向の幅は、その内部で移動する液体を狭小流路７２０における前面及び後面の両方に接触させるように小さい。つまり、狭小流路７２０は、液体が流路断面を閉塞しながら壁面７２１に沿って移動する狭小流路である。
【００６０】
隔壁７４３には、上端部７３２から右上方に延びる連通路８００が形成されている。連通路８００は、第二廃液部７３０から測定部３９０まで接続する空気の流路である。連通路８００は、隔壁７４３及び対向面３９４を貫通して、測定部３９０内に連通する。連通路８００の測定部３９０側の開口端は、隔壁７４２，７４３が互いに接続する位置にある対向面３９４の上端部に形成される。
【００６１】
廃液部７００は、前面２０３に所定深さに形成された凹部である。凹部の深さは、検査チップ２における前後方向の幅と同義である。本実施形態では、狭小流路７２０の深さは、少なくとも第一廃液部７１０及び第二廃液部７３０の各深さよりも小さい。第一廃液部７１０の深さと第二廃液部７３０の深さとは、互いに等しい。連通路８００の深さと狭小流路７２０の深さとは、互いに等しい。なお、第一廃液部７１０の深さと第二廃液部７３０の深さとは、互いに異なってもよい。連通路８００の深さと狭小流路７２０の深さとは、互いに異なってもよい。
【００６２】
反応部３８０を形成する壁面のうちの下流の壁面を、案内面３８１という。案内面３８１，３９３の傾斜角を、夫々、Ｒ７，Ｒ８とする。図４においては、一例として、傾斜角Ｒ７，Ｒ８を、案内面３８１の夫々と下方向とのなす角で示す。傾斜角Ｒ７，Ｒ８は、以下の式（２）の関係を有する。
Ｒ５，Ｒ６，Ｒ８＞Ｒ７    ・・・（２）
なおＲ５，Ｒ６，Ｒ８は、本実施形態では互いに同じ角度であるが、互いに異なる角度でもよい。
【００６３】
＜６．検査チップ２のその他構造＞
図１に示すように、Ｌ型プレート６０から延びる支軸４６は、図示外の装着用ホルダを介して板材１９の後面中央に垂直に連結される。支軸４６の回転に伴って、検査チップ２が支軸４６を中心に自転する。検査チップ２は図２に示す定常状態である場合、上辺部８１及び下辺部８４が重力の方向と直交し、右辺部８２及び左辺部８３が重力の方向と平行、且つ、左辺部８３が右辺部８２よりも主軸５７側に配置される。定常状態の検査チップ２が測定位置に配置されている状態において、光源７１と光センサ７２とを結ぶ測定光を測定部３９０に通過させることで、検査装置１は光学測定による検査を行う。 
【００６４】
＜７．検査方法の一例＞ 
検査装置１及び検査チップ２を用いた検査方法を説明する。図２に示すように、注入路５３０を介して、停止液導入部３６０に停止液９６が注入される。注入路５２０を介して、基質溶液導入部３５０に基質溶液９５が注入される。注入路５１０を介して、第二洗浄液導入部３４０に第二洗浄液９４が注入される。注入路５００を介して、標識抗体液導入部３３０に標識抗体液９３が注入される。注入路４９０を介して、第一洗浄液導入部３２０に第一洗浄液９２が注入される。注入路４８０を介して、試料液導入部３１０に試料液９１が注入される。各液体の配置方法は、他の手法でもよい。
【００６５】
ユーザは検査チップ２を図示外の装着用ホルダに取り付けて、操作部１０４から処理開始のコマンドを入力する。これによって、ＣＰＵ１０１は、ＲＯＭ１０３に記憶されている制御プログラムに基づいて、図４に示す遠心処理を実行する。ＣＰＵ１０１は遠心処理において、公転コントローラ９７を介して主軸モータ３５を駆動制御することで、検査チップ２の公転開始、公転速度制御、及び公転停止を行う各動作を実行する。本実施形態では、ＣＰＵ１０１は垂直軸線Ａ１を中心として、検査チップ２を平面視で時計回り方向に公転させる（図１参照）。ＣＰＵ１０１は、主軸モータ３５の単位時間当たりの回転数を制御することで、検査チップ２の公転速度を制御する。
【００６６】
ＣＰＵ１０１は遠心処理において、自転コントローラ９８を介してステッピングモータ５１を駆動制御することで、検査チップ２の自転角度を変更する各動作を実行する。以下の説明では、図２に示す定常状態の検査チップ２の自転角度を、０度とする。正面視で水平軸線Ａ２を中心として、定常状態からｍ度反時計回りに回転した検査チップ２の自転角度を、ｍ度とする。例えば、定常状態から９０度反時計回りに回転した検査チップ２の自転角度は、９０度である。本実施形態では、ＣＰＵ１０１は自転角度を増加するように変更する場合、検査チップ２を正面視で水平軸線Ａ２を中心として反時計回りに回転させる。ＣＰＵ１０１は自転角度を減少させるように変更する場合、検査チップ２を正面視で水平軸線Ａ２を中心として時計回りに回転させる。
【００６７】
図４に示すように、まずＣＰＵ１０１は、第一送液処理を実行する（Ｓ１）。第一送液処理では、検査チップ２の公転が開始されて、検査チップ２に遠心力Ｘ１が作用するまで公転速度が上昇される。また、検査チップ２の自転角度が、０度から第一自転角度に変更される。第一自転角度は、遠心力が第一壁面５０１（図２参照）に対して垂直に作用する、検査チップ２の自転角度である。
【００６８】
第一送液処理では、第一自転角度の検査チップ２に、遠心力Ｘ１が所定時間作用される。このとき、図５の状態Ｆ１に示すように、第一壁面５０１に垂直な方向に向けて、遠心力Ｘ１が検査チップ２に作用する。遠心力Ｘ１の作用によって、試料液９１が流路６１０を介して、試料液導入部３１０から共通受部３７０に移動する。上記式（１）の関係によって、第一洗浄液９２、標識抗体液９３、第二洗浄液９４、基質溶液９５、及び停止液９６は、夫々、第一洗浄液導入部３２０、標識抗体液導入部３３０、第二洗浄液導入部３４０、基質溶液導入部３５０、及び停止液導入部３６０に保持される。
【００６９】
次いでＣＰＵ１０１は、第一反応工程を実行する（Ｓ２）。第一反応工程では、検査チップ２に遠心力Ｘ２１が作用するまで、公転速度が下降される。遠心力Ｘ２１は、遠心力Ｘ１以下の大きさであり、本実施形態では遠心力Ｘ１の１／２程度である。また、検査チップ２の自転角度が、第一自転角度から９０度に変更される。
【００７０】
第一反応工程では、自転角度９０度の検査チップ２に、遠心力Ｘ２１が所定時間作用される。このとき、図５の状態Ｆ２に示すように、上辺部８１から下辺部８４に向けて、遠心力Ｘ２１が検査チップ２に作用する。遠心力Ｘ２１の作用によって、試料液９１は共通受部３７０から反応部３８０に移動する。反応部３８０では、試料液９１に含まれる検査対象物質が固相化抗体と結合する。検査対象物質と固相化抗体との結合体を、第一結合体という。
【００７１】
次いでＣＰＵ１０１は、第二送液工程を実行する（Ｓ３）。第二送液工程では、検査チップ２に遠心力Ｘ１が作用するまで、公転速度が上昇される。また、検査チップ２の自転角度が、９０度から第二自転角度に変更される。第二自転角度は、遠心力が第二壁面５０２（図２参照）に対して垂直に作用する、検査チップ２の自転角度である。
【００７２】
第二送液工程では、第二自転角度の検査チップ２に、遠心力Ｘ１が所定時間作用される。このとき、図５の状態Ｆ３に示すように、第二壁面５０２に垂直な方向に向けて、遠心力Ｘ１が検査チップ２に作用する。遠心力Ｘ１の作用によって、第一洗浄液９２が流路６１０を介して第一洗浄液導入部３２０から共通受部３７０に移動し、且つ、試料液９１が反応部３８０から第四受部５５０に移動する。上記式（１）の関係によって、標識抗体液９３、第二洗浄液９４、基質溶液９５、及び停止液９６は、夫々、標識抗体液導入部３３０、第二洗浄液導入部３４０、基質溶液導入部３５０、及び停止液導入部３６０に保持される。
【００７３】
次いでＣＰＵ１０１は、第一洗浄工程を実行する（Ｓ４）。第一洗浄工程では、検査チップ２に遠心力Ｘ３１が作用するまで、公転速度が下降される。遠心力Ｘ３１は、遠心力Ｘ２１未満の大きさであり、より好適には後述の遠心力Ｘ３２，Ｘ３３よりも大きく、本実施形態では遠心力Ｘ２１の１／２程度である。また、検査チップ２の自転角度が、第二自転角度から９０度に変更される。
【００７４】
第一洗浄工程では、自転角度９０度の検査チップ２に、遠心力Ｘ３１が所定時間作用される。このとき、図５の状態Ｆ４に示すように、上辺部８１から下辺部８４に向けて、遠心力Ｘ３１が検査チップ２に作用する。遠心力Ｘ３１の作用によって、第一洗浄液９２が共通受部３７０から反応部３８０に移動し、且つ、試料液９１が第四受部５５０から測定部３９０に移動する。反応部３８０に移動した第一洗浄液９２によって、一回目の反応部３８０の洗浄が行われる。具体的には、反応部３８０では、固相化抗体と結合していない試料液９１の成分が第一洗浄液９２によって除去される。即ち、反応部３８０に残存する第一結合体以外の成分が、第一洗浄液９２によって除去される。
【００７５】
次いでＣＰＵ１０１は、第三送液工程を実行する（Ｓ５）。第三送液工程では、検査チップ２に遠心力Ｘ１が作用するまで、公転速度が上昇される。また、検査チップ２の自転角度が、９０度から０度に変更される。第一送液処理では、自転角度０度の検査チップ２に、遠心力Ｘ１が所定時間作用される。このとき、図５の状態Ｆ５に示すように、左辺部８３から右辺部８２に向けて、検査チップ２に遠心力Ｘ１が作用する。遠心力Ｘ１の作用によって、各液体は次のように移動する。
【００７６】
第一洗浄液９２は、反応部３８０から第四受部５５０に移動する。標識抗体液９３は、標識抗体液導入部３３０から共通受部３７０に移動する。第二洗浄液９４は、第二洗浄液導入部３４０から第三受部４７０に移動する。基質溶液９５は、基質溶液導入部３５０から第二受部４６０に移動する。停止液９６は、停止液導入部３６０から第一受部４５０に移動する。試料液９１は、廃液８５として測定部３９０から第一廃液部７１０に移動する。このとき、廃液８５は第一廃液部７１０の右部に保持される。
【００７７】
次いでＣＰＵ１０１は、第二反応工程を実行する（Ｓ６）。第二反応工程では、検査チップ２に遠心力Ｘ２２が作用するまで、公転速度が下降される。遠心力Ｘ２２は、遠心力Ｘ１以下の大きさであり、好適には遠心力Ｘ２１以下の大きさである。本実施形態の遠心力Ｘ２２は、遠心力Ｘ２１の２／３程度である。また、検査チップ２の自転角度が、０度から９０度に変更される。第二反応工程では、自転角度９０度の検査チップ２に、遠心力Ｘ２２が所定時間作用される。このとき、図５の状態Ｆ６に示すように、上辺部８１から下辺部８４に向けて、遠心力Ｘ２２が検査チップ２に作用する。遠心力Ｘ２２の作用によって、各液体は次のように移動する。
【００７８】
第一洗浄液９２は、第四受部５５０から測定部３９０に移動する。標識抗体液９３は、共通受部３７０から反応部３８０に移動する。第二洗浄液９４は、第三受部４７０から標識抗体液導入部３３０に移動する。基質溶液９５は、第二受部４６０から第二洗浄液導入部３４０に移動する。停止液９６は、第一受部４５０から基質溶液導入部３５０に移動する。反応部３８０では、標識抗体液９３に含まれる酵素標識抗体が、第一結合体と特異的に結合する。酵素標識抗体と第一結合体との結合体を、第二結合体という。
【００７９】
廃液８５は、壁面７０１（図３参照）に沿って第一廃液部７１０内を下方向に移動する。更に廃液８５の一部は、壁面７０２（図３参照）に沿って狭小流路７２０内を左方向に移動して、第二廃液部７３０に流入する。この結果、廃液８５は、遠心力Ｘ２２の作用によって、第一廃液部７１０の下部、狭小流路７２０、及び第二廃液部７３０の下部に保持される。第二廃液部７３０における廃液８５の液面８５１は、第一廃液部７１０における廃液８５の液面８５２は、遠心力方向と直交する方向に並ぶ。液面８５１は、第二廃液部７３０内において下端部７３１（図３参照）よりも遠心力方向の上流側にある。
【００８０】
次いでＣＰＵ１０１は、第四送液工程を実行する（Ｓ７）。第四送液工程では、検査チップ２に遠心力Ｘ１が作用するまで、公転速度が上昇される。また、検査チップ２の自転角度が、９０度から第三自転角度に変更される。第三自転角度は、遠心力が案内面３８１（図２参照）に対して垂直に作用する、検査チップ２の自転角度である。第三送液工程では、第三自転角度の検査チップ２に、遠心力Ｘ１が所定時間作用される。このとき、図６の状態Ｆ７に示すように、案内面３８１に垂直な方向に向けて、遠心力Ｘ１が検査チップ２に作用する。遠心力Ｘ１の作用によって、各液体は次のように移動する。
【００８１】
標識抗体液９３は、反応部３８０から第四受部５５０に移動する。第二廃液部７３０にある廃液８５のうち、下端部７３１よりも上側にある廃液８５を、対象廃液という。対象廃液は、壁面７０３（図３参照）に沿って右端部７３３に移動して、第二廃液部７３０の右部に保持される。廃液部７００にある廃液８５は、対象廃液を除いて、壁面７０２に沿って第一廃液部７１０の右下部に移動して保持される。
【００８２】
上記式（２）の関係によって、第一洗浄液９２、第二洗浄液９４、基質溶液９５、及び停止液９６は、夫々、測定部３９０、標識抗体液導入部３３０、第二洗浄液導入部３４０、基質溶液導入部３５０に保持される。但し、検査チップ２が第三自転角度にある場合、遠心力の作用によって標識抗体液導入部３３０に保持可能な液量は、第二洗浄液９４の総量よりも少ない。従って、標識抗体液導入部３３０にある第二洗浄液９４の一部は、遠心力Ｘ１の作用によって、標識抗体液導入部３３０から溢れて共通受部３７０に移動する。本実施形態では、第二洗浄液９４の一部が、標識抗体液導入部３３０から共通受部３７０に移動する。
【００８３】
次いでＣＰＵ１０１は、第二洗浄工程を実行する（Ｓ８）。第二洗浄工程では、検査チップ２に遠心力Ｘ３２が作用するまで、公転速度が下降される。遠心力Ｘ３２は、遠心力Ｘ２１未満の大きさであり、本実施形態では遠心力Ｘ３１と同程度である。また、検査チップ２の自転角度が、第三自転角度から９０度に変更される。第二洗浄工程では、自転角度９０度の検査チップ２に、遠心力Ｘ３２が所定時間作用される。このとき、図６の状態Ｆ８に示すように、上辺部８１から下辺部８４に向けて、遠心力Ｘ３２が検査チップ２に作用する。遠心力Ｘ３２の作用によって、各液体は次のように移動する。
【００８４】
共通受部３７０にある第二洗浄液９４が、反応部３８０に移動する。反応部３８０に移動した第二洗浄液９４によって、二回目の反応部３８０の洗浄が行われる。具体的には、反応部３８０では、第一結合体と結合していない標識抗体液９３の成分が、第二洗浄液９４によって除去される。即ち、反応部３８０に残存する第二結合体以外の成分が、第二洗浄液９４によって除去される。標識抗体液９３が、第四受部５５０から測定部３９０に移動する。測定部３９０では、標識抗体液９３と第一洗浄液９２とが混合して、混合液８６が生成される。廃液部７００では、廃液８５が図５の状態Ｆ６と同様に移動する。
【００８５】
次いでＣＰＵ１０１は、第五送液工程を実行する（Ｓ９）。第五送液工程では、検査チップ２に遠心力Ｘ１が作用するまで、公転速度が上昇される。また、検査チップ２の自転角度が、９０度から０度に変更される。第五送液処理では、自転角度０度の検査チップ２に、遠心力Ｘ１が所定時間作用される。このとき、図６の状態Ｆ９に示すように、左辺部８３から右辺部８２に向けて、検査チップ２に遠心力Ｘ１が作用する。遠心力Ｘ１の作用によって、各液体は次のように移動する。
【００８６】
反応部３８０にある第二洗浄液９４は、第四受部５５０に移動する。標識抗体液導入部３３０にある第二洗浄液９４は、共通受部３７０に移動する。基質溶液９５は、第二洗浄液導入部３４０から第三受部４７０に移動する。停止液９６は、基質溶液導入部３５０から第二受部４６０に移動する。混合液８６は、廃液８５として測定部３９０から第一廃液部７１０に移動する。これにより、廃液部７００に貯留される廃液８５が増量する。対象廃液は、壁面７０３に沿って右端部７３３に移動して、第二廃液部７３０の右部に保持される。廃液部７００にある廃液８５は、対象廃液を除いて、壁面７０２に沿って第一廃液部７１０の右部に移動して保持される。
【００８７】
次いでＣＰＵ１０１は、第三洗浄工程を実行する（Ｓ１０）。第三洗浄工程では、検査チップ２に遠心力Ｘ３３が作用するまで、公転速度が下降される。遠心力Ｘ３３は、遠心力Ｘ２１未満の大きさであり、好適には遠心力Ｘ３２以上の大きさである。本実施形態の遠心力Ｘ３３は、遠心力Ｘ３２の３／２程度である。また、検査チップ２の自転角度が、０度から９０度に変更される。第三洗浄工程では、自転角度９０度の検査チップ２に、遠心力Ｘ３３が所定時間作用される。このとき、図６の状態Ｆ１０に示すように、上辺部８１から下辺部８４に向けて、遠心力Ｘ３３が検査チップ２に作用する。遠心力Ｘ３３の作用によって、各液体は次のように移動する。
【００８８】
第四受部５５０にある第二洗浄液９４が、測定部３９０に移動する。共通受部３７０にある第二洗浄液９４が、反応部３８０に移動する。反応部３８０に移動した第二洗浄液９４によって、二回目の反応部３８０の洗浄と同様に、三回目の反応部３８０の洗浄が行われる。基質溶液９５は、第三受部４７０から標識抗体液導入部３３０に移動する。停止液９６は、第二受部４６０から第二洗浄液導入部３４０に移動する。廃液部７００では、廃液８５が図６の状態Ｆ８と同様に移動する。このとき、液面８５１，８５２は、状態Ｆ８よりも遠心力方向の上流側にある。
【００８９】
次いでＣＰＵ１０１は、第六送液工程を実行する（Ｓ１１）。第六送液工程では、検査チップ２に遠心力Ｘ１が作用するまで、公転速度が上昇される。また、検査チップ２の自転角度が、９０度から０度に変更される。第六送液処理では、自転角度０度の検査チップ２に、遠心力Ｘ１が所定時間作用される。このとき、図６の状態Ｆ１１に示すように、左辺部８３から右辺部８２に向けて、検査チップ２に遠心力Ｘ１が作用する。遠心力Ｘ１の作用によって、各液体は次のように移動する。
【００９０】
反応部３８０にある第二洗浄液９４は、第四受部５５０に移動する。基質溶液９５は、標識抗体液導入部３３０から共通受部３７０に移動する。停止液９６は、第二洗浄液導入部３４０から第三受部４７０に移動する。測定部３９０にある第二洗浄液９４は、廃液８５として第一廃液部７１０に移動する。これにより、廃液部７００に貯留される廃液８５が増量する。廃液部７００では、廃液８５が図６の状態Ｆ９と同様に移動する。このとき、第一廃液部７１０及び第二廃液部７３０の各々で保持される廃液８５の液量は、状態Ｆ９よりも多い。
【００９１】
次いでＣＰＵ１０１は、第三反応工程を実行する（Ｓ１２）。第三反応工程では、検査チップ２に遠心力Ｘ２３が作用するまで、公転速度が下降される。遠心力Ｘ２３は、遠心力Ｘ１以下の大きさであり、好適には遠心力Ｘ２１以下の大きさである。本実施形態の遠心力Ｘ２３は、遠心力Ｘ２２と同程度である。また、検査チップ２の自転角度が、０度から９０度に変更される。第三反応工程では、自転角度９０度の検査チップ２に、遠心力Ｘ２３が所定時間作用される。このとき、図６の状態Ｆ１２に示すように、上辺部８１から下辺部８４に向けて、遠心力Ｘ２３が検査チップ２に作用する。遠心力Ｘ２３の作用によって、各液体は次のように移動する。
【００９２】
第二洗浄液９４は、第四受部５５０から測定部３９０に移動する。基質溶液９５は、共通受部３７０から反応部３８０に移動する。反応部３８０では、基質溶液９５が第二結合体に含まれる酵素標識抗体と酵素反応する。停止液９６は、第三受部４７０から標識抗体液導入部３３０に移動する。廃液部７００では、廃液８５が図６の状態Ｆ１０と同様に移動する。このとき、液面８５１，８５２は、状態Ｆ１０よりも遠心力方向の上流側にある。
【００９３】
次いでＣＰＵ１０１は、第七送液工程を実行する（Ｓ１３）。第七送液工程では、検査チップ２に遠心力Ｘ１が作用するまで、公転速度が上昇される。また、検査チップ２の自転角度が、９０度から０度に変更される。第七送液処理では、自転角度０度の検査チップ２に、遠心力Ｘ１が所定時間作用される。このとき、図７の状態Ｆ１３に示すように、左辺部８３から右辺部８２に向けて、検査チップ２に遠心力Ｘ１が作用する。遠心力Ｘ１の作用によって、各液体は次のように移動する。
【００９４】
基質溶液９５は、反応部３８０から第四受部５５０に移動する。停止液９６は、標識抗体液導入部３３０から共通受部３７０に移動する。測定部３９０にある第二洗浄液９４は、廃液８５として第一廃液部７１０に移動する。これにより、廃液部７００に貯留される廃液８５が増量する。廃液部７００では、廃液８５が図６の状態Ｆ１１と同様に移動する。このとき、第一廃液部７１０及び第二廃液部７３０の各々で保持される廃液８５の液量は、状態Ｆ１１よりも多い。
【００９５】
次いでＣＰＵ１０１は、第四反応工程を実行する（Ｓ１４）。第四反応工程では、検査チップ２に遠心力Ｘ２４が作用するまで、公転速度が下降される。遠心力Ｘ２４は、遠心力Ｘ１以下の大きさであり、好適には遠心力Ｘ２１以下の大きさである。本実施形態の遠心力Ｘ２４は、遠心力Ｘ２２と同程度である。また、検査チップ２の自転角度が、０度から９０度に変更される。第四反応工程では、自転角度９０度の検査チップ２に、遠心力Ｘ２４が所定時間作用される。
【００９６】
このとき、図７の状態Ｆ１４に示すように、上辺部８１から下辺部８４に向けて、遠心力Ｘ２４が検査チップ２に作用する。遠心力Ｘ２４の作用によって、各液体は次のように移動する。基質溶液９５は、第四受部５５０から測定部３９０に移動する。停止液９６は、共通受部３７０から反応部３８０に移動する。廃液部７００では、廃液８５が図６の状態Ｆ１２と同様に移動する。このとき、液面８５１，８５２は、状態Ｆ１２よりも遠心力方向の上流側にある。
【００９７】
次いでＣＰＵ１０１は、第八送液工程を実行する（Ｓ１５）。第八送液工程では、検査チップ２に遠心力Ｘ１が作用するまで、公転速度が上昇される。また、検査チップ２の自転角度が、９０度から第三自転角度に変更される。第八送液工程では、第三自転角度の検査チップ２に、遠心力Ｘ１が所定時間作用される。
【００９８】
このとき、図７の状態Ｆ１５に示すように、案内面３８１に垂直な方向に向けて、遠心力Ｘ１が検査チップ２に作用する。遠心力Ｘ１の作用によって、停止液９６は反応部３８０から第四受部５５０に移動する。上記式（２）の関係によって、基質溶液９５は測定部３９０に保持される。廃液部７００では、廃液８５が図６の状態Ｆ７と同様に移動する。
【００９９】
次いでＣＰＵ１０１は、第五反応工程を実行する（Ｓ１６）。第五反応工程では、検査チップ２に遠心力Ｘ２５が作用するまで、公転速度が下降される。遠心力Ｘ２５は、遠心力Ｘ１以下の大きさであり、好適には遠心力Ｘ２１以下の大きさである。本実施形態の遠心力Ｘ２５は、遠心力Ｘ２２と同程度である。また、検査チップ２の自転角度が、０度から９０度に変更される。第五反応工程では、自転角度９０度の検査チップ２に、遠心力Ｘ２５が所定時間作用される。
【０１００】
このとき、図７の状態Ｆ１６に示すように、上辺部８１から下辺部８４に向けて、遠心力Ｘ２４が検査チップ２に作用する。遠心力Ｘ２５の作用によって、停止液９６は第四受部５５０から測定部３９０に移動する。測定部３９０では、基質溶液９５に停止液９６が混合され、基質溶液９５の酵素反応の進行が停止する。停止液９６が混合された基質溶液９５を、測定溶液８７という。廃液部７００では、廃液８５が図７の状態Ｆ１４と同様に移動する。
【０１０１】
ＣＰＵ１０１は、第五反応工程の実行後、公転速度を０まで下降させ、且つ自転角度を９０度から０度に変更して、遠心処理を終了する。図７の状態Ｆ１６に示すように、検査チップ２には、上辺部８１から下辺部８４に向けて重力Ｇが作用する。重力Ｇによって、測定溶液８７は測定部３９０に保持される。ＣＰＵ１０１は、遠心処理の実行後、検査チップ２を測定位置まで公転させる。
【０１０２】
図１に示すように、測定コントローラ９９は、光源７１を発光させることで、測定光を測定部３９０に貯溜された測定溶液８７に透過させる。ＣＰＵ１０１は、光センサ７２が受光した測定光の変化量に基づいて、測定溶液８７の光学測定を行い、測定データを取得する。ＣＰＵ１０１は、取得された測定データに基づいて測定溶液８７の測定結果を算出し、その算出結果をディスプレイ１０６に表示させる。尚、測定溶液８７の測定方法は、光学測定に限られず、他の方法でもよい。
【０１０３】
＜８．遠心処理における遠心力の制御態様＞
図８を参照して、遠心処理（図４参照）における遠心力の制御態様を説明する。図８では、遠心力Ｘが作用する自転角度９０度の検査チップ２において、その前後方向中心を通る仮想面における断面を正面視した、反応部３８０近傍の拡大図である。図８では、図示しない液体が反応部３８０に貯留されているものとする。また、反応部３８０において、遠心力Ｘの大きさに応じて変化する液体の液面Ｃ１〜Ｃ４を、仮想線で示す。液面Ｃ１〜Ｃ４は、互いに同量の液体の液面である。
【０１０４】
上記遠心処理では、反応に関与する液体である試料液９１、標識抗体液９３、及び基質溶液９５と、反応に関与しない液体である第一洗浄液９２及び第二洗浄液９４とが用いられる。遠心力Ｘ２１〜Ｘ２３の作用によって、反応に関与する液体が所定の部位に保持されることで、所定の反応が行われる。遠心力Ｘ３１〜Ｘ３３の作用によって、反応に関与しない液体が所定の部位に保持されることで、反応とは異なる処理が行われる。本実施形態では、所定の部位は反応部３８０であり、反応とは異なる処理は洗浄処理である。以下では、遠心力Ｘ２１〜Ｘ２３を総称して、遠心力Ｘ２という。遠心力Ｘ２は、遠心力Ｘ２４，Ｘ２５を含んでもよい。また、遠心力Ｘ３１〜Ｘ３３を総称して、遠心力Ｘ３という。
【０１０５】
（１）遠心力Ｘ２は、遠心力Ｘ３よりも大きい。具体的には、遠心力Ｘ２１〜Ｘ２３の各々は、遠心力Ｘ３１〜Ｘ３３の何れもよりも大きい。本例では、図８に示す検査チップ２に遠心力Ｘ２１が付与されている状態では、反応部３８０内にある液体の液面は、液面Ｃ１と同じ表面状態となる。液面Ｃ１は、遠心力方向と直交する平面状である。
【０１０６】
図８に示す検査チップ２に遠心力Ｘ２２，Ｘ２３の何れかが付与されている状態では、反応部３８０内にある液体は表面張力によって反応部３８０の壁面に沿って若干広がる。このとき、反応部３８０内にある液体の液面は、液面Ｃ２と同じ表面状態となる。液面Ｃ２は、液面Ｃ１と比べて遠心力方向の下流側に凹む湾曲面である。液面Ｃ１，Ｃ２が同量の液体の液面である場合、液面Ｃ２の縁部は液面Ｃ１の縁部よりも遠心力方向の上流側にある。この場合、液面Ｃ２の液体は液面Ｃ１の液体よりも、反応部３８０の壁面との接触面積が大きい。
【０１０７】
図８に示す検査チップ２に遠心力Ｘ３３が付与されている状態では、遠心力Ｘ２２，Ｘ２３の何れかが付与されている状態よりも、反応部３８０内にある液体は表面張力によって反応部３８０の壁面に沿って広がりやすい。このとき、反応部３８０内にある液体の液面は、液面Ｃ３と同じ表面状態となる。液面Ｃ３は、液面Ｃ２と比べて遠心力方向の下流側に大きく凹む湾曲面である。液面Ｃ２，Ｃ３が同量の液体の液面である場合、液面Ｃ３の縁部は液面Ｃ２の縁部よりも遠心力方向の上流側にある。この場合、液面Ｃ３の液体は液面Ｃ２の液体よりも、反応部３８０の壁面との接触面積が大きい。
【０１０８】
図８に示す検査チップ２に遠心力Ｘ３１，Ｘ３２の何れかが付与されている状態では、遠心力Ｘ３３が付与されている状態よりも、反応部３８０内にある液体は表面張力によって反応部３８０の壁面に沿って広がりやすい。このとき、反応部３８０内にある液体の液面は、液面Ｃ４と同じ表面状態となる。液面Ｃ４は、液面Ｃ３と比べて遠心力方向の下流側に大きく凹む湾曲面である。液面Ｃ３，Ｃ４が同量の液体の液面である場合、液面Ｃ４の縁部は液面Ｃ３の縁部よりも遠心力方向の上流側にある。この場合、液面Ｃ４の液体は液面Ｃ３の液体よりも、反応部３８０の壁面との接触面積が大きい。
【０１０９】
即ち、遠心力Ｘ３に基づく液面Ｃ３，Ｃ４の各々は、遠心力Ｘ２に基づく液面Ｃ１，Ｃ２の何れよりも、液量に対して反応部３８０の壁面と接触する割合が大きい状態である。そのため、Ｓ４の第一洗浄工程（図５の状態Ｆ４）では、試料液９１よりも少ない液量の第一洗浄液９２によって、反応部３８０の壁面に残留する試料液９１の成分を洗浄できる。
【０１１０】
より詳細には、Ｓ２の第一反応工程（図５の状態Ｆ２）において、試料液９１の液面は、遠心力Ｘ２１によって液面Ｃ１と同じ表面状態に保持される。次いで、Ｓ４の第一洗浄工程（図５の状態Ｆ４）において、第一洗浄液９２の液面は、遠心力Ｘ３１によって液面Ｃ４と同じ表面状態に保持される。このとき、第一洗浄液９２の液量が試料液９１の液量よりも少ない場合でも、第一洗浄液９２の液面の縁部が試料液９１の液面の縁部よりも遠心力方向の上流側にあれば、第一洗浄液９２は反応部３８０の壁面に残存する試料液９１の成分を除去できる。
【０１１１】
同様に、Ｓ８の第二洗浄工程（図６の状態Ｆ８）及びＳ１０の第三洗浄工程（図６の状態Ｆ１０）では、標識抗体液９３よりも少ない液量の第二洗浄液９４によって、反応部３８０の壁面に残留する標識抗体液９３の成分を除去できる。更に反応部３８０の壁面に残留する標識抗体液９３の成分は、二回の洗浄工程（第二洗浄工程及び第三洗浄工程）によって確実に洗浄される。
【０１１２】
（２）遠心力Ｘ３３は、遠心力Ｘ３２以上である。本例では、遠心力Ｘ３３は遠心力Ｘ３２よりも大きい。第二洗浄工程において、第二洗浄液９４の液面は、遠心力Ｘ３２によって液面Ｃ４と同じ表面状態に保持される。液面Ｃ４は、液面Ｃ１〜Ｃ４のうちで、液量に対して反応部３８０の壁面と接触する割合が最も大きい状態である。液体の液面が液面Ｃ４と同じ表面状態である場合、第二洗浄液９４と反応部３８０の壁面との接触面積が大きいため、反応部３８０の広範囲を洗浄できる。
【０１１３】
次いで、第三洗浄工程において、第二洗浄液９４の液面は、遠心力Ｘ３３によって液面Ｃ３の状態に保持される。第二洗浄液９４と反応部３８０の壁面との接触面積は、第二洗浄工程よりも小さい。一方、第二洗浄工程によって洗浄された反応部３８０の壁面は、第二洗浄液９４で濡れた状態にある。そのため、第三洗浄工程では、第二洗浄液９４が反応部３８０の壁面に沿って広がりやすく、反応部３８０から流出しやすい。これに対して、遠心力Ｘ３３は遠心力Ｘ３２よりも大きいため、第二洗浄液９４を反応部３８０内で確実に保持できる。なお、遠心力Ｘ３２，Ｘ３３は互いに同じ大きさでもよい。
【０１１４】
なお、遠心力Ｘ３１は遠心力Ｘ３２，Ｘ３３よりも大きいことが好適である。本実施形態では、先に実行される第一洗浄工程の洗浄精度よりも、後に実行される第二及び第三洗浄工程の洗浄精度の方が、液体反応の検査結果に与える影響が大きい。遠心力Ｘ３１は遠心力Ｘ３２，Ｘ３３よりも大きくすることで、第二及び第三洗浄工程は第一洗浄工程よりも反応部３８０の広範囲を洗浄できる。従って、第二洗浄液９４の使用量を抑制しつつ、液体反応に関する正確な検査結果が得られる。
【０１１５】
（３）遠心力Ｘ１は、液体を移動させるための遠心力である。遠心力Ｘ２は、遠心力Ｘ１以下である。即ち遠心力Ｘ１は、遠心力Ｘ１，Ｘ２，Ｘ３のうちで最も大きい。これにより、各搬送工程（Ｓ１，Ｓ３，Ｓ５，Ｓ７，Ｓ９，Ｓ１１，Ｓ１３，Ｓ１５）では、移動対象の液体を、液残りを生じることなく目的位置へ正確に移動させることができる。また、遠心力Ｘ１が検査チップ２に作用する状態では、液体の液面が液面Ｃ１と同様に、遠心力方向と直交する平面状となる。従って、移動対象の液体と液体流路２５を形成する壁面との接触面積を抑制できるため、他の液体の搬送精度を向上できる。
【０１１６】
本例では、遠心力Ｘ２，Ｘ３は、何れも遠心力Ｘ１よりも小さい。従って、各反応工程（Ｓ２，Ｓ６，Ｓ１２，Ｓ１４，Ｓ１６）の公転速度、及び各洗浄工程（Ｓ４，Ｓ８，Ｓ１０）の公転速度は、何れも各搬送工程の公転速度よりも小さい。このように、各搬送工程以外の工程における公転速度を抑制することで、検査装置１の遠心処理時のエネルギー消費を低減できる。なお、遠心力Ｘ２は遠心力Ｘ１と同じ大きさでもよい。
【０１１７】
（４）遠心力Ｘ２１は、遠心力Ｘ２２，Ｘ２３以上である。第一反応工程（Ｓ２）では、反応部３８０において試料液９１に含まれる検査対象物質が固相化抗体と結合される。このとき、試料液９１と反応部３８０との接触面積が大きいほど、第一結合体の生成量が多くなる。第一反応工程における第一結合体の生成量が予定量と一致しない場合、測定精度に悪影響を及ぼす可能性がある。
【０１１８】
本例では、遠心力Ｘ２１が遠心力Ｘ２１〜Ｘ２３のうちで最も大きい。第一反応工程において遠心力Ｘ２１が作用されることで、反応部３８０にある試料液９１の液面は遠心力方向と直交する平面状となる。これにより、試料液９１と反応部３８０との接触面積を、正確な測定精度を得るのに好適な予定面積に制御できる。第一結合体の生成量が、正確な測定精度を得るのに好適な予定量に制御されるため、測定精度を向上できる。
【０１１９】
一方、第二反応工程（Ｓ６）において、反応物である標識抗体液９３の液量は、被反応物である第一結合体の量に対して過剰である。そのため、第二反応工程は、標識抗体液９３と反応部３８０の壁面との接触面積を正確に制御する必要性が相対的に低い。同様に、第三反応工程（Ｓ１２）において、反応物である基質溶液９５の液量は、被反応物である第二結合体の量に対して過剰である。そのため、第三反応工程は、基質溶液９５と反応部３８０の壁面との接触面積を正確に制御する必要性が相対的に低い。
【０１２０】
従って、第二反応工程及び第三反応工程では、第一反応工程のように液面を高精度で制御する必要性が相対的に低い。本例では、遠心力Ｘ２２，Ｘ２３の各々が遠心力Ｘ２１よりも小さいため、検査装置１の遠心処理時のエネルギー消費を低減できる。なお、遠心力Ｘ２１は、遠心力Ｘ２２，Ｘ２３の少なくとも一つと同じ大きさでもよい。遠心力Ｘ２２，Ｘ２３は、互いに同じ大きさでもよいし、互いに異なる大きさでもよい。
【０１２１】
＜９．本実施形態の作用の例示＞
（１）遠心処理（図４参照）の各工程において、検査チップ２に加速度を作用されることで、以下のように液体が操作される。本実施形態では、検査装置１が加速度として遠心力を検査チップ２に作用させ、且つ遠心力の作用する方向を調整することで、遠心処理の各工程が実行される。以下では、試料液導入部３１０、第一洗浄液導入部３２０、標識抗体液導入部３３０、第二洗浄液導入部３４０、基質溶液導入部３５０、及び停止液導入部３６０を総称して、各液体が導入される領域である導入部という。
【０１２２】
まず第一送液工程（Ｓ１）では、反応に関与する液体である試料液９１が導入部から下流側に移動される。次に第一反応工程（Ｓ２）では、試料液９１が反応部３８０に保持される。次に第二送液工程（Ｓ３）では、試料液９１が反応部３８０から下流側に移動され、且つ、反応に関与しない液体である第一洗浄液９２が導入部から下流側に移動される。次に第一洗浄工程（Ｓ４）では、第一洗浄液９２が反応部３８０に保持される。第一反応工程の遠心力Ｘ２１は、第一洗浄工程の遠心力Ｘ３１よりも大きい。これにより、第一反応工程において保持される試料液９１と反応部３８０との間の表面張力と、第一洗浄工程において保持される第一洗浄液９２と反応部３８０との間の表面張力では、前者の方が加速度によって相殺される方向の力が働きやすい。
【０１２３】
即ち、試料液９１と第一洗浄液９２との各液量が同等である場合、第一洗浄工程における第一洗浄液９２と反応部３８０との接触面積は、第一反応工程における試料液９１と反応部３８０との接触面積よりも大きい。第一洗浄液９２の液量が試料液９１の液量よりも少ない場合でも、第一洗浄液９２は反応部３８０のうちで試料液９１と接触した領域の全体と接触可能である。従って、反応に関与しない第一洗浄液９２の使用量を抑制しつつ、液体反応に関する正確な検査結果が得られる。
【０１２４】
（２）第一反応工程（Ｓ２）では、試料液９１が反応部３８０に配置された固相化抗体と反応される。第一洗浄工程（Ｓ４）では、第一洗浄液９２によって反応部３８０が洗浄される。これにより、反応に関与しない第一洗浄液９２の使用量を抑制しつつ、第一洗浄工程以降の工程において、反応部３８０で液体を正確に反応させることができる。
【０１２５】
（３）第一反応工程（Ｓ２）では、検査対象物質と固相化抗体とが結合された第一結合体が生成される。第一洗浄工程（Ｓ４）では、反応部３８０に残存する第一結合体以外の成分が除去される。次に第三送液工程（Ｓ５）では、第一洗浄液９２が反応部３８０から下流側に移動され、且つ標識抗体液９３が導入部から下流側に移動される。次に第二反応工程（Ｓ６）では、反応部３８０に標識抗体液９３が保持されて、酵素標識抗体と第一結合体とが特異的に結合された第二結合体が生成される。次に第四送液工程（Ｓ７）及び第五送液工程（Ｓ９）では、標識抗体液９３が反応部３８０から下流側に移動され、且つ第二洗浄液９４が導入部から下流側に移動される。
【０１２６】
次に第二洗浄工程（Ｓ８）及び第三洗浄工程（Ｓ１０）では、反応部３８０に第二洗浄液９４が保持されて、反応部３８０に残存する第二結合体以外の成分が除去される。次に第六送液工程（Ｓ１１）では、第二洗浄液９４が反応部３８０から下流側に移動され、且つ基質溶液９５が導入部から下流側に移動される。次に第三反応工程（Ｓ１２）では、反応部３８０に基質溶液９５が保持されて、基質溶液９５が第二結合体と反応される。第一〜第三反応工程（Ｓ２，Ｓ６，Ｓ１２）の各遠心力Ｘ２１，Ｘ２２，Ｘ２３は、第一〜第三洗浄工程（Ｓ４，Ｓ８，Ｓ１０）の各遠心力Ｘ３１，Ｘ３２，Ｘ３３よりも大きい。
【０１２７】
即ち、反応部３８０において第一液を反応させる各工程の遠心力Ｘ２は、反応部３８０を第二液で洗浄する各工程の遠心力Ｘ３よりも大きい。これにより、第一〜第三反応工程の各々における第一液と反応部３８０との間の表面張力と、第一〜第三洗浄工程の各々における第二液と反応部３８０との間の表面張力では、前者の方が加速度によって相殺される方向の力が働きやすい。即ち、第一液と第二液との各液量が同等の場合、第一〜第三反応工程の各々における第一液と反応部との接触面積は、第一〜第三洗浄工程の各々における第二液と反応部との接触面積よりも大きい。
【０１２８】
従って、第一洗浄液９２が試料液９１よりも少ない場合でも、第一洗浄液９２は反応部３８０のうちで試料液９１と接触した領域の全体と接触可能であるため、反応部３８０に残存する第一結合体以外の成分を確実に除去できる。第二洗浄液９４が標識抗体液９３よりも少ない場合でも、第二洗浄液９４は反応部３８０のうちで標識抗体液９３と接触した領域の全体と接触可能であるため、反応部３８０に残存する第二結合体以外の成分を確実に除去できる。従って、第三反応工程において基質溶液９５が第二結合体と反応された場合に、より正確な反応結果が得られる。
【０１２９】
（４）反応部３８０において液体を反応させる各工程（Ｓ２，Ｓ６，Ｓ１２）の遠心力Ｘ２は、検査チップ２内で液体を移動させる各工程（Ｓ１，Ｓ３，Ｓ５，Ｓ７，Ｓ９，Ｓ１１）の遠心力Ｘ１以下である。これにより、遠心処理の実行に伴うエネルギー消費を抑制でき、且つ、検査チップ２内で液体を正確に移動させることができる。
【０１３０】
（５）第一反応工程（Ｓ２）の遠心力Ｘ２１は、第二及び第三反応工程（Ｓ６，Ｓ１２）の各遠心力Ｘ２２，Ｘ２３以上である。第一反応工程は第一〜第三反応工程のうちで最初に実行されるため、第一結合体の生成量は最終的な検査結果に与える影響が大きい。従って、遠心力Ｘ２１を各遠心力Ｘ２２，Ｘ２３以上にすることで、反応部３８０における試料液９１の液面位置が正確に制御できる。これにより、試料液９１と反応部３８０との接触面積が正確に制御されて、第一結合体の生成量が正確に制御されるため、液体反応に関する正確な検査結果が得られる。
【０１３１】
（６）第一洗浄工程（Ｓ４）の遠心力Ｘ３１は、第二及び第三洗浄工程（Ｓ８，Ｓ１０）の遠心力Ｘ３２，Ｘ３３より大きい。これにより、第一洗浄工程において保持される第一洗浄液９２と反応部３８０との間の表面張力と、第二及び第三洗浄工程において保持される第二洗浄液９４と反応部３８０との間の表面張力では、前者の方が加速度によって相殺される方向の力が働きやすい。即ち、第一洗浄液９２と第二洗浄液９４との各液量が同等の場合、第一洗浄工程における第一洗浄液９２と反応部との接触面積は、第二及び第三洗浄工程における第二洗浄液９４と反応部３８０との接触面積よりも大きい。第二洗浄液９４の液量が第一洗浄液９２の液量よりも少ない場合でも、第二洗浄液９４は反応部３８０のうちで第一洗浄液９２と接触した領域の全体と接触可能である。従って、反応に関与しない第二洗浄液９４の使用量を抑制しつつ、反応部３８０の広範囲を洗浄できるため、液体反応に関する正確な検査結果が得られる。
【０１３２】
（７）第四送液工程（Ｓ７）及び第五送液工程（Ｓ９）では、第二洗浄液９４が複数回に分けて導入部から下流側に移動される。第二洗浄工程（Ｓ８）及び第三洗浄工程（Ｓ１０）は、第二洗浄液９４が導入部から下流側に移動される毎に実行される。第二及び第三洗浄工程の各々では、導入部から下流側に移動された第二洗浄液９４が、標識抗体液９３が下流側に移動された後の反応部３８０に保持される。第二及び第三洗浄工程のうち、第二洗浄工程は最初に実行され、第三洗浄工程はその後に実行される。第三洗浄工程の遠心力Ｘ３３は、第二洗浄工程の遠心力Ｘ３２以上である。
【０１３３】
これによれば、第二及び第三洗浄工程によって、反応部３８０に残存する第二結合体以外の成分除去が、複数回に分けて実行される。第二及び第三洗浄工程のうちで第二洗浄工程の加速度が最も大きいため、第二洗浄工程において第二洗浄液９４は反応部３８０の広範囲を洗浄できる。
【０１３４】
（８）試料液９１、第一洗浄液９２、標識抗体液９３、第二洗浄液９４、及び基質溶液９５の各々は、反応部３８０の壁面に対して９０度以下の接触角である。これにより、反応に関与しない第二液の液量が反応に関与する第一液の液量よりも少ない場合でも、第二液は反応部３８０のうちで第一液と接触した領域の全体と接触可能である。従って、反応に関与しない第二液の使用量を抑制しつつ、液体反応に関する正確な検査結果が得られる。
【０１３５】
＜１０．備考＞
本発明は上記実施形態に限定されず、各種変形が可能である。例えば、検査チップ２で使用される液体は、試料液９１、第一洗浄液９２、標識抗体液９３、第二洗浄液９４、基質溶液９５、及び停止液９６に限定されず、他の液体でもよい。例えば、反応に関与する液体は、試料液９１、標識抗体液９３、及び基質溶液９５に限定されず、触媒液等でもよい。反応に関与しない液体は、第一洗浄液９２及び第二洗浄液９４に限定されず、希釈液等でもよい。
【０１３６】
検査装置１は、遠心処理（図４参照）において、第一軸を中心に検査チップ２を公転させ、且つ、第一軸とは異なる第二軸を中心に検査チップ２を自転させればよい。遠心処理において検査チップ２が自転される角度幅は、自転角度０度〜９０度に限定されない。例えば検査装置１は、遠心処理において、自転角度０度〜１８０度の角度幅で自転させてもよい。遠心処理では、遠心力に代えて、他の加速度が用いられてもよい。他の加速度は、重力又は重力と遠心力との合力が例示される。例えば検査装置１は、遠心処理における各工程の少なくとも一つにおいて、重力又は重力と遠心力との合力を検査チップ２に作用させることで、各液体を移動又は反応させてもよい。
【０１３７】
遠心処理は、検査目的、検査手法、液体の種類等に応じて、適宜変更可能である。例えば、上記実施形態の遠心処理（図４参照）では、反応部３８０に残存する第二結合体以外の成分を除去する洗浄工程が、第二洗浄工程（Ｓ８）及び第三洗浄工程（Ｓ１０）として二回分が実行される。これに代えて、反応部３８０に残存する第二結合体以外の成分を除去する洗浄工程が一回だけ実行されてもよいし、三回以上実行されてもよい。同様に、反応部３８０に残存する第一結合体以外の成分を除去する洗浄工程は、一回の第一洗浄工程（Ｓ４）に限定されず、複数回実行されてもよい。
【０１３８】
なお、上記実施形態及び変形例において、検査チップ２は本発明の「検査チップ」の一例である。遠心力は本発明の「加速度」の一例である。遠心処理（図４参照）は本発明の「検査方法」の一例である。試料液９１、標識抗体液９３、及び基質溶液９５の各々は、本発明の「第一液」の一例である。第一洗浄液９２及び第二洗浄液９４の各々は、本発明の「第二液」の一例である。試料液導入部３１０、第一洗浄液導入部３２０、標識抗体液導入部３３０、第二洗浄液導入部３４０、基質溶液導入部３５０、及び停止液導入部３６０は、本発明の「導入部」の一例である。反応部３８０は、本発明の「保持部」及び「反応部」の一例である。第一送液工程（Ｓ１）は、本発明の「第一移動工程」の一例である。第一反応工程（Ｓ２）は、本発明の「第一保持工程」の一例である。第二送液工程（Ｓ３）は、本発明の「第二移動工程」の一例である。第一洗浄工程（Ｓ４）は、本発明の「第二保持工程」の一例である。
【０１３９】
第三送液工程（Ｓ５）は、本発明の「第三移動工程」の一例である。第二反応工程（Ｓ６）は、本発明の「第三保持工程」の一例である。第四送液工程（Ｓ７）及び第五送液工程（Ｓ９）は、本発明の「第四移動工程」及び「複数の洗浄液移動工程」の一例である。第二洗浄工程（Ｓ８）及び第三洗浄工程（Ｓ１０）は、本発明の「第四保持工程」及び「複数の洗浄液保持工程」の一例である。第六送液工程（Ｓ１１）は、本発明の「第五移動工程」の一例である。第三反応工程（Ｓ１２）は、本発明の「第五保持工程」の一例である。第二洗浄工程（Ｓ８）は、本発明の「初回洗浄工程」の一例である。第三洗浄工程（Ｓ１０）は、本発明の「少なくとも一つの後続洗浄工程」の一例である。
【０１４０】
検査システム３は、本発明の「検査システム」の一例である。検査装置１は、本発明の「検査装置」の一例である。Ｓ１を実行するＣＰＵ１０１は、本発明の「第一移動手段」の一例である。Ｓ２を実行するＣＰＵ１０１は、本発明の「第一保持手段」の一例である。Ｓ３を実行するＣＰＵ１０１は、本発明の「第二移動手段」の一例である。Ｓ４を実行するＣＰＵ１０１は、本発明の「第二保持手段」の一例である。
【符号の説明】
【０１４１】
１    検査装置
２    検査チップ
３    検査システム
９１    試料液
９２    第一洗浄液
９３    標識抗体液
９４    第二洗浄液
９５    基質溶液
１０１    ＣＰＵ
３１０    試料液導入部
３２０    第一洗浄液導入部
３３０    標識抗体液導入部
３４０    第二洗浄液導入部
３５０    基質溶液導入部
３６０    停止液導入部
３８０  反応部
【図１】
0006477395.tif 000002
【図２】
0006477395.tif 000003
【図３】
0006477395.tif 000004
【図４】
0006477395.tif 000005
【図５】
0006477395.tif 000006
【図６】
0006477395.tif 000007
【図７】
0006477395.tif 000008
【図８】
0006477395.tif 000009